【手続補正書】
【提出日】平成17年1月20日(2005.1.20)
【手続補正１】
【補正対象書類名】明細書
【補正対象項目名】特許請求の範囲
【補正方法】変更
【補正の内容】
【特許請求の範囲】
【請求項１】
同一位置にスキャナと処理装置を有する処理装置スキャナステーションで、露光した写真フィルムを処理し、処理装置スキャナステーションで１またはそれ以上のハードコピー画像を形成する工程と、
処理装置スキャナステーションから離隔したハブステーションに１セットの１またはそれ以上のハードコピー画像が通信されることを示すフィルム上のデータを読み取る工程と、
フィルムが処理された同一の処理装置スキャナステーションで画像セットを走査し、対応する画像セット信号を得る工程と、
画像セット信号をスキャナからハブステーションに通信する工程と、
通信された画像セット信号をハブステーションで記憶する工程と、
を有することを特徴とする画像処理方法。
【請求項２】
各々が同一位置にスキャナと処理装置を有し、互いに離隔した複数の処理装置スキャナステーションの各々で、露光した写真フィルムを処理し、各処理装置スキャナステーションで１またはそれ以上のハードコピー画像を形成する工程と、
フィルムからの１またはそれ以上の画像のセットが、フィルムが処理される処理装置スキャナステーションから、データで識別され、各々が各処理装置スキャナステーションから離隔している、対応するハブステーションに通信されることを指示する各フィルム上のデータを読み取る工程と、
フィルムが処理された同一の処理装置スキャナステーションで各画像セットを走査し、対応する画像セット信号を得る工程と、
各画像セット信号を各スキャナからハブステーションに通信する工程と、
通信された画像セット信号をハブステーションで記憶する工程と、
を有し、
第１の複数の画像セット信号は、第１のスキャナステーション処理装置場所のセットの第１のスキャナセットのそれぞれから、第１のハブステーションに通信され、第２の複数の画像セット信号は、第２のスキャナステーション処理装置場所のセットの第２のスキャナセットのそれぞれから、第２のハブステーションに通信され、第１のハブステーションに記憶された画像セット信号を第２のハブステーションに通信する工程を追加的に含む画像処理方法。
【請求項３】
露光した写真フィルムを処理し、１またはそれ以上のハードコピー画像を形成することができる処理装置と、
１セットの１またはそれ以上のハードコピー画像を走査し、対応する画像セット信号を得ることができる走査システムと、
画像がハブステーションに通信されることを指示するフィルム上のデータを読み取ることができるデータ読取器と、
画像セット信号をハブステーションに通信するための第１の通信手段と、
を同一位置に有する処理装置スキャナステーションと、
走査システムから画像セット信号を受け取る第２の通信手段と、
画像セット信号を記憶する第１の記憶装置と、
ハブおよび各処理装置スキャナステーションから離隔した複数のターミナルのいずれかに画像セット信号を転送するための第３の通信手段と、
を有する処理装置スキャナステーションから離隔したハブステーションと、
ハブステーションと通信するように接続された、ハブステーションおよび各処理装置スキャナステーションから離隔した複数のターミナルと、
を有することを特徴とする画像処理システム。
【請求項４】
第１ステーションにおいて、離隔された第２ステーションに通信される１セットの１つ以上の画像のデジタル電子版である画像セット信号を読み取り、第１ステーションにおいて、画像セット信号に関連付けられ、画像セット信号がどのカテゴリに記憶されるべきであるかを示すカテゴリ識別符号を取得する工程と、
デジタル電子画像信号セットを送信することによって、第１ステーションから第２ステーションに、画像セット信号と関連カテゴリ識別符号とを通信する工程と、
第２ステーションにおいて、既に存在するカテゴリ識別符号と、第２ステーションによって作成されたカテゴリ識別符号のいずれかから選択されたカテゴリ識別符合によって決定されるカテゴリに、通信された画像セット信号を記憶する工程と、
を含み、
第２ステーションは、既に第２ステーションに存在している複数の識別済みカテゴリのうちのいずれに対しても画像セット信号を記憶でき、
通信されたカテゴリ識別符号は、既に記憶されている識別済みのカテゴリのうちの１つを特定するものであることを特徴とする画像処理方法。
【請求項５】
請求項４に記載の画像処理方法であって、
画像セット信号とカテゴリ識別符号は、デジタルカメラから読み取られることを特徴とする画像処理方法。
【手続補正２】
【補正対象書類名】明細書
【補正対象項目名】００１４
【補正方法】変更
【補正の内容】
【００１４】
本発明によればユーザが、対応する画像セット信号を得るためにフィルム上のいずれの画像が走査されるべきかを識別する指示をフィルム上に記憶する便宜がある。走査された画像の画像セット信号は、ハブステーションアドレスと同様に処理装置スキャナステーションから離隔したハブステーションに通信される。顧客は単に、かかるフィルムを処理装置／スキャナ位置に提供し、（画像セットとして指定された）指示された画像は自動的に走査され、対応する画像セット信号が本発明方法にしたがって適正なハブステーションに通信される。さらに、ユーザは、通信された画像セット信号がハブステーションに送られ、それによって自動的に適正なカテゴリー識別符号で記憶されるようにカテゴリー識別符号の指示をフィルム上に記憶することができる。カテゴリー識別符号はたとえば、（ユーザがそれぞれの撮影された画像に対して適切と考える）１またはそれ以上のサブ−ディレクトリもしくはアルバム領域であってよい。必要な指示は便宜的には、フィルム上に記録可能な適合するカメラで制御することによって、または露光あるいは未露光フィルム上で別個の記録装置上でユーザによって記憶することができる。さらに、複数の遠隔処理装置スキャナステーションと遠隔ハブステーションを備えたシステムによれば便宜的には、ユーザは露光されたフィルムを複数場所のいずれか便利なものに配送することができるとともに、ユーザは各露光されたフィルムが配送された位置を追跡することなく、いずれかの離隔したユーザターミナルで手近に、その走査された画像を回収することができる。ハブステーションがあることでユーザは、画像のコピーを送り出すことができ、あるいは他のベンダと通信する必要なしに、また異なるフィルムが配送された位置にかかわらず同一位置から調和的に得られた画像についての他のサービスを受けることができる。
さらに、本発明に係る画像処理方法は、第１ステーションにおいて、離隔された第２ステーションに通信される１セットの１つ以上の画像のデジタル電子版である画像セット信号を読み取り、第１ステーションにおいて、画像セット信号に関連付けられ、画像セット信号がどのカテゴリに記憶されるべきであるかを示すカテゴリ識別符号を取得する工程と、デジタル電子画像信号セットを送信することによって、第１ステーションから第２ステーションに、画像セット信号と関連カテゴリ識別符号とを通信する工程と、第２ステーションにおいて、既に存在するカテゴリ識別符号と、第２ステーションによって作成されたカテゴリ識別符号のいずれかから選択されたカテゴリ識別符合によって決定されるカテゴリに、通信された画像セット信号を記憶する工程とを含み、第２ステーションは、既に第２ステーションに存在している複数の識別済みカテゴリのうちのいずれに対しても画像セット信号を記憶でき、通信されたカテゴリ識別符号は、既に記憶されている識別済みのカテゴリのうちの１つを特定するものであることを特徴とする。
また、画像セット信号とカテゴリ識別符号は、デジタルカメラから読み取られることを特徴とする。